(57)【要約】【課題】部品点数を低減することができるブラシ装置を提供する。【解決手段】ブラシ装置３１は、軸方向に開口部を有するブラシ収容凹部５ｃが形成された絶縁基部材５と、ブラシ収容凹部５ｃ内に配設されるブラシ１０と、ブラシ収容凹部５ｃの開口部を閉塞するための閉塞部３２ａとブラシ１０のピッグテール１０ａを接続するための接続部３２ｂとが形成された導電性プレート３２とを備える。【選択図】      図２
2006174586.tif 000002
【特許請求の範囲】
【請求項１】
軸方向に開口部を有するブラシ収容凹部が形成された絶縁基部材と、
前記ブラシ収容凹部内に配設されるブラシと、
前記ブラシ収容凹部の開口部を閉塞するための閉塞部と前記ブラシのピッグテールを接続するための接続部とが形成された導電性プレートと
を備えたことを特徴とするブラシ装置。
【請求項２】
請求項１に記載のブラシ装置において、
前記ブラシ収容凹部の側壁には、側方に前記ピッグテールを取り出すための段部が形成されたことを特徴とするブラシ装置。
【請求項３】
請求項１又は２に記載のブラシ装置において、
前記ブラシを陽極側と陰極側とでそれぞれ複数ずつ備え、
複数となる前記閉塞部は連結部により連結されて一体成形されたことを特徴とするブラシ装置。
【請求項４】
請求項３に記載のブラシ装置において、
前記ブラシを陽極側と陰極側とでそれぞれ２つずつ備え、
前記接続部は、２つの前記閉塞部を連結する連結部に形成されたことを特徴とするブラシ装置。
【請求項５】
請求項４に記載のブラシ装置において、
同じ極側の一対の前記ブラシに対応した一対の前記ブラシ収容凹部における前記段部は互いに向かい合うように形成されたことを特徴とするブラシ装置。
【請求項６】
請求項１乃至５のいずれか１項に記載のブラシ装置において、
陽極側と陰極側の前記ブラシに対応した各前記導電性プレートには、外部に接続するための外部用端子が形成され、
各前記外部用端子は、並んで配設されたことを特徴とするブラシ装置。
【請求項７】
請求項１乃至６のいずれか１項に記載のブラシ装置において、
前記接続部は、前記導電性プレートにおける前記絶縁基部材と対向する側で前記ピッグテールを保持したことを特徴とするブラシ装置。
【請求項８】
請求項１乃至７のいずれか１項に記載のブラシ装置において、
前記導電性プレートには、自身と前記絶縁基部材との間に前記ピッグテールの少なくとも一部を介在させるためのピッグテール覆い部が形成されたことを特徴とするブラシ装置。
【請求項９】
請求項１乃至８のいずれか１項に記載のブラシ装置において、
前記絶縁基部材には、圧入凹部が形成され、
前記導電性プレートには、前記圧入凹部に圧入される圧入凸部が形成されたことを特徴とするブラシ装置。
【発明の詳細な説明】
【技術分野】
【０００１】
本発明は、ブラシをモータの整流子に当接させるブラシ装置に関するものである。
【背景技術】
【０００２】
従来、直流モータの回転軸には整流子が設けられ、その整流子には給電用のブラシが摺接可能に配設される。そして、ブラシを整流子に当接させるブラシ装置としては、ブラシ収容凹部が形成された絶縁基部材と、ブラシ収容凹部内に配設されるブラシと、ブラシ収容凹部の開口部を閉塞するための絶縁板と、絶縁基部材に設けられブラシのピッグテールを接続するためのピッグテール接続端子部材とを備えたものがある（例えば、特許文献１参照）。
【特許文献１】特開平５−１２２９０６号公報
【発明の開示】
【発明が解決しようとする課題】
【０００３】
しかしながら、上記のようなブラシ装置では、ブラシ収容凹部の開口部を閉塞するための部材（絶縁板）や、ピッグテールを接続するための部材（ピッグテール接続端子部材）等、部品点数が多いという問題がある。
【０００４】
本発明は、上記問題を解決するためになされたものであって、その目的は、部品点数を低減することができるブラシ装置を提供することにある。
【課題を解決するための手段】
【０００５】
請求項１に記載の発明は、軸方向に開口部を有するブラシ収容凹部が形成された絶縁基部材と、前記ブラシ収容凹部内に配設されるブラシと、前記ブラシ収容凹部の開口部を閉塞するための閉塞部と前記ブラシのピッグテールを接続するための接続部とが形成された導電性プレートとを備えた。
【０００６】
請求項２に記載の発明は、請求項１に記載のブラシ装置において、前記ブラシ収容凹部の側壁には、側方に前記ピッグテールを取り出すための段部が形成された。
請求項３に記載の発明は、請求項１又は２に記載のブラシ装置において、前記ブラシを陽極側と陰極側とでそれぞれ複数ずつ備え、複数となる前記閉塞部は連結部により連結されて一体成形された。
【０００７】
請求項４に記載の発明は、請求項３に記載のブラシ装置において、前記ブラシを陽極側と陰極側とでそれぞれ２つずつ備え、前記接続部は、２つの前記閉塞部を連結する連結部に形成された。
【０００８】
請求項５に記載の発明は、請求項４に記載のブラシ装置において、同じ極側の一対の前記ブラシに対応した一対の前記ブラシ収容凹部における前記段部は互いに向かい合うように形成された。
【０００９】
請求項６に記載の発明は、請求項１乃至５のいずれか１項に記載のブラシ装置において、陽極側と陰極側の前記ブラシに対応した各前記導電性プレートには、外部に接続するための外部用端子が形成され、各前記外部用端子は、並んで配設された。
【００１０】
請求項７に記載の発明は、請求項１乃至６のいずれか１項に記載のブラシ装置において、前記接続部は、前記導電性プレートにおける前記絶縁基部材と対向する側で前記ピッグテールを保持した。
【００１１】
請求項８に記載の発明は、請求項１乃至７のいずれか１項に記載のブラシ装置において、前記導電性プレートには、自身と前記絶縁基部材との間に前記ピッグテールの少なくとも一部を介在させるためのピッグテール覆い部が形成された。
【００１２】
請求項９に記載の発明は、請求項１乃至８のいずれか１項に記載のブラシ装置において、前記絶縁基部材には、圧入凹部が形成され、前記導電性プレートには、前記圧入凹部に圧入される圧入凸部が形成された。
【００１３】
（作用）
請求項１に記載の発明によれば、導電性プレートには、ブラシ収容凹部の開口部を閉塞するための閉塞部とブラシのピッグテールを接続するための接続部とが形成されるため、従来のブラシ収容凹部の開口部を閉塞するための部材とピッグテールを接続するための部材とを別々に備えたものに比べて、部品点数を低減することができる。又、ブラシ収容凹部の開口部を閉塞するための部材が導電性プレートの閉塞部であるため、例えば導電性プレートに剛性の強い金属板を採用することで、従来の樹脂性の絶縁板に比べて、同じ剛性としながら薄型化が可能となる。
【００１４】
請求項２に記載の発明によれば、ブラシ収容凹部の側壁には、側方にピッグテールを取り出すための段部が形成されるため、ピッグテールの軸方向への飛び出しが抑制される。
請求項３に記載の発明によれば、ブラシは陽極側と陰極側とでそれぞれ複数ずつ備えられるが、極側毎に複数となる閉塞部は連結部により連結されて一体成形されるため、陽極側と陰極側のブラシの数がそれぞれの極側で複数であっても部品点数が増加しない。
【００１５】
請求項４に記載の発明によれば、接続部は、２つの閉塞部を連結する連結部に形成されるため、同じ極側の一対のブラシのピッグテール同士が向かい合うことになり、異なる極側のブラシのピッグテール同士が接触することが防止される。
【００１６】
請求項５に記載の発明によれば、同じ極側の一対のブラシに対応した一対のブラシ収容凹部における段部が互いに向かい合うように形成されるため、同じ極側の一対のブラシのピッグテール同士がブラシ側端部から向かい合うことになり、異なる極側のブラシのピッグテール同士が接触することが更に防止される。
【００１７】
請求項６に記載の発明によれば、陽極側と陰極側のブラシに対応した各導電性プレートの各外部用端子は並んで配設されるため、外部への接続（接続するための構成や接続方法）が容易となる。
【００１８】
請求項７に記載の発明によれば、ピッグテールは、接続部に導電性プレートにおける絶縁基部材と対向する側で保持されるため、ピッグテールの軸方向への飛び出しが抑制される。
【００１９】
請求項８に記載の発明によれば、導電性プレートには、自身と絶縁基部材との間にピッグテールの少なくとも一部を介在させるためのピッグテール覆い部が形成されるため、ピッグテールの軸方向への飛び出しが抑制される。
【００２０】
請求項９に記載の発明によれば、導電性プレートは、その圧入凸部が絶縁基部材の圧入凹部に圧入されることで固定されるため、その組み付けが容易となる。
【発明の効果】
【００２１】
本発明によれば、部品点数を低減することができるブラシ装置を提供することができる。
【発明を実施するための最良の形態】
【００２２】
以下、本発明を具体化した一実施の形態を図１〜図６に従って説明する。図１に示すように、ポンプ装置１は、モータ２と、ポンプ部３とを備える。
モータ２は、略有底筒形状に形成されたヨークハウジング４と、ヨークハウジング４の開口部を閉止する絶縁基部材としての絶縁基板５と、ヨークハウジング４及び絶縁基板５の内部に略収容される電機子６とを備える。
【００２３】
ヨークハウジング４の内周面には周方向に複数の永久磁石７が固定され、それらによって固定子が構成されている。又、ヨークハウジング４には、開口側の直径が大きくされることで嵌合凹部４ａが形成され、更に開口部（軸方向端部）には径方向外側に延びる鍔部４ｂが形成されている。又、ヨークハウジング４の底部中央には、開口側に延びる軸受支持筒部４ｃが形成されている。そして、軸受支持筒部４ｃには、底部とともに皿ばね８を挟むように軸受９ａが嵌入される。
【００２４】
絶縁基板５は、略円盤状に形成され（図３参照）、その外周縁が前記嵌合凹部４ａに嵌合されて前記ヨークハウジング４に対して固定される。この絶縁基板５において前記ヨークハウジング４の底部側（図１中、右側）の面には給電用のブラシ１０が保持される。又、絶縁基板５の中央には、外部側（ヨークハウジング４の反底部側）に突出する筒部５ａが形成され、その筒部５ａの先端には径方向内側に延びる内延部５ｂが形成されている。そして、内延部５ｂの内周には、軸受９ｂが嵌入される。
【００２５】
電機子６は、回転軸１１と、その回転軸１１に固定される巻線１２が巻装された電機子コア１３と、同回転軸１１に固定される整流子１４とを備え、その回転軸１１の両端側が前記軸受９ａ，９ｂにて回転可能に支持されている。そして、この状態で電機子コア１３は、前記永久磁石７と対向して周囲を囲まれるように配置される。又、整流子１４は、その外周面に前記ブラシ１０が押圧接触されるように（摺接可能に）配置される。又、回転軸１１の先端部（図１中、左側端部）は、ヨークハウジング４及び絶縁基板５の外部に突出する。この回転軸１１において外部に突出する先端部には、回転軸１１の軸中心に対して偏心した偏心部１１ａが形成されている。又、この回転軸１１は、その基端部（図１中、右側端部）が軸受９ａの内輪に固定されることから、皿ばね８にて軸方向（図１中、左方向）に付勢される。又、本実施の形態の電機子コア１３の中央には、軸方向に凹設された凹部１３ａが形成され、該凹部１３ａには軸受支持筒部４ｃの一部（先端部）及び軸受９ａの一部が収容されている。
【００２６】
ポンプ部３は、ポンプハウジング２１を備え、ポンプハウジング２１には偏心部１１ａを収容するとともにその偏心運動を許容する回転軸収容凹部２１ａが形成されている。又、ポンプハウジング２１において回転軸収容凹部２１ａの開口側には、前記軸受９ｂの一部（内延部５ｂから突出した部分）が嵌入される軸受収容部２１ｂと、前記筒部５ａが嵌入される筒部収容部２１ｃとが形成されている。そして、ポンプハウジング２１には、回転軸収容凹部２１ａに偏心部１１ａが収容され、軸受収容部２１ｂに軸受９ｂの一部が嵌入され、筒部収容部２１ｃに筒部５ａが嵌入されるように、モータ２が固定される。尚、本実施の形態では、ヨークハウジング４の鍔部４ｂを貫通してポンプハウジング２１に螺合されるネジ２２にてモータ２がポンプハウジング２１（ポンプ部３）に固定される。このポンプ部３は、偏心部１１ａに軸受２３を介して連結されるプランジャ２４を有し、電機子６が回転されるとプランジャ２４が往復動され、油圧部２５の体積が変化することにより流体（図１中、矢印Ｘ１，Ｘ２参照）を圧送する。
【００２７】
ここで、前記絶縁基板５及び前記ブラシ１０を含むブラシ装置３１について詳述する。ブラシ装置３１は、図１及び図２に示すように、絶縁基板５、ブラシ１０及び導電性プレート３２等を備える。
【００２８】
絶縁基板５において、前記ヨークハウジング４の底部側（図３中、紙面手前側であって、図４中、上側）の面には、軸方向に開口部を有し径方向に沿って延びるブラシ収容凹部５ｃが形成されている。ブラシ収容凹部５ｃは、周方向に４つ、詳しくは、陽極側及び陰極側（のブラシ１０）にそれぞれ対応したものが２つずつ（２対）形成されている。尚、図３では、右側の２つが陽極側に対応し、左側の２つが陰極側に対応している。ブラシ収容凹部５ｃは、図４に示すように、絶縁基板５の他の平面に対して凹設された凹部の内面（側面と底面）と、他の平面に対して立設される周方向に一対の側壁５ｄ，５ｅの内側面とによって形成されている。そして、各ブラシ収容凹部５ｃ内には、ブラシ１０が径方向に移動可能に配設される。尚、このブラシ１０の基端側（径方向外側）にはピッグテール１０ａの一端が（ブラシ収容凹部５ｃに配設された状態で軸直交方向から）埋設されている。
【００２９】
又、ブラシ収容凹部５ｃの側壁５ｄには、側方（軸直交方向）にブラシ１０のピッグテール１０ａを取り出すための段部５ｆ（側壁５ｄの頂部より低い部分）が形成されている。詳しくは、同じ極側の一対のブラシ１０に対応した一対のブラシ収容凹部５ｃにおける段部５ｆは互いに向かい合うように形成されている。言い換えると、陽極側に対応した図３中、右側の一対のブラシ収容凹部５ｃにおける段部５ｆは、互いに向かい合う（近い）側壁５ｄが切り欠かれることで形成され、陰極側に対応した図３中、左側の一対のブラシ収容凹部５ｃにおける段部５ｆは、互いに向かい合う（近い）側壁５ｄが切り欠かれることで形成されている。
【００３０】
又、絶縁基板５において、前記ヨークハウジング４の底部側（図３中、紙面手前側であって、図４中、上側）の面には、圧入凹部５ｇが形成されている。本実施の形態の圧入凹部５ｇは、前記側壁５ｄ，５ｅに形成（側壁５ｄ，５ｅの頂部から凹設）されている。又、本実施の形態の圧入凹部５ｇは、前記段部５ｆが形成される側壁５ｄの径方向外側端部と、前記段部５ｆが形成されない側壁５ｅの径方向内側端部及び径方向外側端部とに（即ち１つのブラシ収容凹部５ｃに対して３つ）形成されている。
【００３１】
又、絶縁基板５において、陽極側に対応したブラシ収容凹部５ｃと陰極側に対応したブラシ収容凹部５ｃとの間の一方（図３中、下側の２つのブラシ収容凹部５ｃの間）には、一対の外部用端子配置部５ｈが並んで形成されている。又、絶縁基板５の外部用端子配置部５ｈと対応した位置には、外部側（図３中、紙面奥側であって、ヨークハウジング４の反底部側）に突出する延出部５ｉ（図１参照）が形成され、その延出部５ｉには一対（図１中、１つのみ図示する）の外部接続ターミナル３３が埋設されている。この延出部５ｉは、前記ポンプハウジング２１を貫通するように設けられ、その先端から露出する外部接続ターミナル３３には、図示しない外部制御装置（電源）が接続されることになる。
【００３２】
前記導電性プレート３２は、図２に示すように、陽極側（のブラシ１０）に対応したものと、陰極側（のブラシ１０）に対応したものとがある。導電性プレート３２には、図２及び図５に示すように、ブラシ収容凹部５ｃの開口部を閉塞するための閉塞部３２ａと、ブラシ１０のピッグテール１０ａを接続するための接続部３２ｂとが形成されている。
【００３３】
本実施の形態の導電性プレート３２には、閉塞部３２ａと接続部３２ｂとがそれぞれ２つずつ（一対ずつ）形成され、一対（同極側）のブラシ収容凹部５ｃに対応して形成される閉塞部３２ａは連結部３２ｃにより連結されている。尚、本実施の形態の連結部３２ｃはピッグテール覆い部をも構成している。連結部３２ｃは、閉塞部３２ａにおいて前記段部５ｆ（図３参照）に対応した径方向中央部から延びて一対の閉塞部３２ａの径方向中央部同士を連結するとともに絶縁基板５の外周縁側を通るように形成されている。
【００３４】
又、前記接続部３２ｂは、連結部３２ｃに形成されている。接続部３２ｂは、導電性プレート３２における絶縁基板５と対向する側（図２中、紙面奥側）で、詳しくは導電性プレート３２における絶縁基板５と対向しない側の面より対向する側で、ピッグテール１０ａを保持する。本実施の形態の接続部３２ｂは、図６に示すように、一対の突出片３２ｄを有し、その突出片３２ｄが導電性プレート３２における絶縁基板５と対向する側（図６中、下側）でピッグテール１０ａを潰しながら抱えるように折り曲げられることでピッグテール１０ａを保持している。
【００３５】
又、導電性プレート３２において、前記圧入凹部５ｇと対応した部位、即ち閉塞部３２ａには、圧入凸部３２ｅが形成されている。圧入凸部３２ｅは、軸方向（図２及び図５中、紙面奥方向）に屈曲されて突出し、圧入凹部５ｇに圧入されることで、導電性プレート３２を絶縁基板５に固定している。
【００３６】
又、導電性プレート３２には、外部に接続するための外部用端子３２ｆが形成されている。外部用端子３２ｆは、閉塞部３２ａの径方向中央部から前記外部用端子配置部５ｈと対応した位置まで延び、更に軸方向（図２及び図５中、紙面奥方向）に屈曲されて突出している。そして、外部用端子３２ｆは、導電性プレート３２が絶縁基板５に固定されることで（圧入凸部３２ｅが圧入凹部５ｇに圧入される際に同時に）、前記外部接続ターミナル３３（図１参照）に電気的に接続される。尚、この外部用端子３２ｆは、勿論、一対の外部用端子配置部５ｈと同様に、陽極側（図２中、右側）に対応した導電性プレート３２のものと、陰極側（図２中、左側）に対応した導電性プレート３２のものとが（図２中、下側の２つの閉塞部３２ａの間で）並んで配設される。
【００３７】
又、導電性プレート３２において、前記閉塞部３２ａの径方向外側端部には、ばね支持部３２ｇが形成されている。即ち、ブラシ収容凹部５ｃ内においてブラシ１０の径方向外側には圧縮コイルばね３４（図１参照）が配設され、ばね支持部３２ｇは屈曲されることで圧縮された状態の圧縮コイルばね３４の基端部（径方向外側端部）を支持する。これによりブラシ１０は、整流子１４に押圧接触される。
【００３８】
次に、上記実施の形態の特徴的な作用効果を以下に記載する。
（１）導電性プレート３２には、ブラシ収容凹部５ｃの開口部を閉塞するための閉塞部３２ａとブラシ１０のピッグテール１０ａを接続するための接続部３２ｂとが形成されるため、従来のブラシ収容凹部の開口部を閉塞するための部材とピッグテールを接続するための部材とを別々に備えたものに比べて、部品点数を低減することができる。又、組み付け工数を低減することができることなどから、ひいては、低コスト化を図ることができる。
【００３９】
（２）ブラシ収容凹部５ｃの開口部を閉塞するための部材が導電性プレート３２の閉塞部３２ａであるため、例えば導電性プレート３２に剛性の強い金属板を採用することで、従来の樹脂性の絶縁板に比べて、同じ剛性としながら薄型化が可能となる。その結果、ブラシ装置３１の短軸化（軸方向の短縮化）、ひいてはモータ２の短軸化を図ることができる。
【００４０】
（３）ブラシ収容凹部５ｃの側壁５ｄには、側方にピッグテール１０ａを取り出すための段部５ｆが形成されるため、ピッグテール１０ａの軸方向への飛び出しが抑制される。
（４）ブラシ１０は陽極側と陰極側とでそれぞれ複数（２つずつ）備えられるが、極側毎に複数となる閉塞部３２ａは連結部３２ｃにより連結されて一体成形されるため、陽極側と陰極側のブラシ１０の数がそれぞれの極側で複数であっても部品点数が増加しない。
【００４１】
（５）接続部３２ｂは、２つの閉塞部３２ａを連結する連結部３２ｃに形成されるため、同じ極側の一対のブラシ１０のピッグテール１０ａ同士が向かい合うことになり、異なる極側のブラシ１０のピッグテール１０ａ同士が接触することが防止される。
【００４２】
（６）同じ極側の一対のブラシ１０に対応した一対のブラシ収容凹部５ｃにおける段部５ｆが互いに向かい合うように形成されるため、同じ極側の一対のブラシ１０のピッグテール１０ａ同士がブラシ側端部（基端部）から向かい合うことになり、異なる極側のブラシ１０のピッグテール１０ａ同士が接触することが更に防止される。
【００４３】
（７）陽極側と陰極側のブラシ１０に対応した各導電性プレート３２の各外部用端子３２ｆは（図２中、下側の２つの閉塞部３２ａの間で）並んで配設されるため、外部への接続（接続するための構成や接続方法）が容易となる。本実施の形態では、一対の外部用端子３２ｆが接続される一対の外部接続ターミナル３３を並べて（まとめて）配設することができ、絶縁基板５の延出部５ｉを一箇所のみに形成した構成とすることができる。
【００４４】
（８）ピッグテール１０ａは、接続部３２ｂに導電性プレート３２における絶縁基板５と対向する側（図２中、紙面奥側）で保持されるため、ピッグテール１０ａの軸方向への飛び出しが抑制される。
【００４５】
（９）連結部３２ｃは、閉塞部３２ａにおける前記段部５ｆに対応した径方向中央部から延びて形成されることなどから、自身と絶縁基板５との間にピッグテール１０ａの少なくとも一部を介在させるためのピッグテール覆い部をも構成している。よって、簡単な構成で（特に増設することなく）ピッグテール１０ａの軸方向への飛び出しが抑制される。
【００４６】
（１０）絶縁基板５には圧入凹部５ｇが形成され、導電性プレート３２には圧入凸部３２ｅが形成され、圧入凸部３２ｅが圧入凹部５ｇに圧入されることで導電性プレート３２が絶縁基板５に固定されるため、その組み付けが容易となる。
【００４７】
（１１）電機子コア１３の中央には、軸方向に凹設された凹部１３ａが形成され、該凹部１３ａには軸受支持筒部４ｃの一部（先端部）及び軸受９ａの一部が収容されるため、モータ２の短軸化を図ることができる。
【００４８】
上記実施の形態は、以下のように変更してもよい。
・上記実施の形態では、ブラシ１０を４つ（陽極側と陰極側をそれぞれ２つずつ）備えたブラシ装置３１としたが、ブラシ１０の数を（例えば２つ等に）変更して実施してもよい。又、この場合、導電性プレートは、閉塞部や接続部の数をブラシの数に応じて変更してもよい。
【００４９】
・上記実施の形態では、ブラシ収容凹部５ｃの側壁５ｄには、側方にピッグテール１０ａを取り出すための段部５ｆが形成されるとしたが、段部５ｆを形成せず、閉塞部３２ａにピッグテール１０ａを取り出すためのスリットを形成してもよい。
【００５０】
・上記実施の形態では、接続部３２ｂは、２つの閉塞部３２ａを連結する連結部３２ｃに形成されるとしたが、導電性プレート３２の他の部位に形成してもよい。例えば、閉塞部３２ａから（連結部３２ｃとは異なる位置から）延出した接続部としてもよい。
【００５１】
・上記実施の形態では、同じ極側の一対のブラシ１０に対応した一対のブラシ収容凹部５ｃにおける段部５ｆが互いに向かい合うように形成されるとしたが、それら段部を互いに向かい合わないように形成してもよい。
【００５２】
・上記実施の形態では、陽極側と陰極側のブラシ１０に対応した各導電性プレート３２の各外部用端子３２ｆは、図２中、下側の２つの閉塞部３２ａの間で並んで配設されるとしたが、例えば、外部用端子３２ｆを連結部３２ｃに形成する等、上記のように並ばないように配設してもよい。
【００５３】
・上記実施の形態では、接続部３２ｂは、導電性プレート３２における絶縁基板５と対向する側（図２中、紙面奥側）でピッグテール１０ａを保持するとしたが、接続部３２ｂを導電性プレート３２における絶縁基板５と対向しない側の面より対向しない側に突出するようにピッグテール１０ａを保持する構成に変更してもよい。又、接続部３２ｂは、一対の突出片３２ｄにてピッグテール１０ａを保持する構成としたが、ピッグテール１０ａを保持し電気的に接続されれば、これに限定されず、他の構成に変更してもよい。
【００５４】
・上記実施の形態では、連結部３２ｃは、ピッグテール覆い部をも構成するとしたが、自身と絶縁基板５との間にピッグテール１０ａの少なくとも一部を介在させるためのピッグテール覆い部を別途、導電性プレート３２に（例えば閉塞部３２ａから延出させて）形成してもよい。又、導電性プレート３２を、ピッグテール覆い部が形成されない形状に変更してもよい。
【００５５】
・上記実施の形態では、導電性プレート３２は圧入凸部３２ｅが絶縁基板５の圧入凹部５ｇに圧入されることで絶縁基板５に固定されるとしたが、他の構成で絶縁基板５に固定されるように変更してもよい。又、圧入凸部３２ｅ及び圧入凹部５ｇが形成される位置を共に変更してもよい。
【００５６】
・上記実施の形態では、電機子コア１３の中央には、軸方向に凹設された凹部１３ａが形成され、該凹部１３ａには軸受支持筒部４ｃの一部（先端部）及び軸受９ａの一部が収容されるとしたが、電機子コアの同様の凹部に整流子の一部を収容する構成としてもよい。又、勿論、電機子コアに前記凹部を形成しなくてもよい。
【００５７】
・上記実施の形態では、ポンプ装置１用のモータ２としたが、ブラシ装置を備えるモータであれば、他の装置用のモータに具体化してもよい。
上記各実施の形態から把握できる技術的思想について、以下にその効果とともに記載する。
【００５８】
（イ）請求項８に記載のブラシ装置において、前記ピッグテール覆い部は、前記連結部の一部であることを特徴とするブラシ装置。このようにすると、簡単な構成で（特に増設することなく）ピッグテール覆い部を形成することができる。
【００５９】
（ロ）請求項１乃至９のいずれか１項に記載のブラシ装置と、前記ブラシに摺接可能に配設される整流子、及び巻線が巻装された電機子コアを有する電機子とを備えたモータ。このようにすると、モータにおいて、請求項１乃至９のいずれか１項に記載の発明の効果を得ることができる。
【００６０】
（ハ）上記（ロ）に記載のモータにおいて、前記巻線が巻装された部位の内側である前記電機子コアの中央には、軸方向に凹設された凹部が形成され、該凹部には前記電機子の回転軸を支持するための軸受の一部又は前記整流子の一部が収容されたことを特徴とするモータ。このようにすると、モータの短軸化を図ることができる。
【図面の簡単な説明】
【００６１】
【図１】本実施の形態におけるポンプ装置の要部断面図。
【図２】本実施の形態におけるブラシ装置の平面図。
【図３】本実施の形態における絶縁基板の平面図。
【図４】図３のＡ−Ａ断面図。
【図５】本実施の形態における導電性プレートの平面図。
【図６】図２のＢ−Ｂ断面図。
【符号の説明】
【００６２】
５…絶縁基板（絶縁基部材）、５ｃ…ブラシ収容凹部、５ｄ…側壁、５ｆ…段部、５ｇ…圧入凹部、１０…ブラシ、１０ａ…ピッグテール、３２…導電性プレート、３２ａ…閉塞部、３２ｂ…接続部、３２ｃ…連結部（ピッグテール覆い部）、３２ｅ…圧入凸部、３２ｆ…外部用端子。
【図１】
2006174586.tif 000003
【図２】
2006174586.tif 000004
【図３】
2006174586.tif 000005
【図４】
2006174586.tif 000006
【図５】
2006174586.tif 000007
【図６】
2006174586.tif 000008